(57)【要約】【課題】  遊技機と遊技島設備とで互いに隣接する部分のデザインを一体化し得るように構成した遊技機及び遊技島設備を提供する。【解決手段】  遊技島設備の板部（１１，１２）に隣接する前扉部（３，５）の上部に、装飾Ｐ１と同種の装飾Ｐ２を有する装飾パネル１９を着脱可能に保持するパネル保持部１６が配置されている。これにより、パチンコ機１０と遊技島設備とで互いに隣接する部分のデザインを一体化させ、パチンコ機１０の前扉部（３，５）のデザインを遊技島設備の板部（１１，１２）のデザインに簡便に調和させることができる。【選択図】      図２
2006288514.tif 000002
【特許請求の範囲】
【請求項１】
遊技島設備の一方向に延び且つ所定の装飾を有する板部によって上方を覆われる形で配置される遊技機において、
前記板部に隣接する前扉部の一部に、前記所定の装飾と同種の装飾を有する装飾パネルを着脱可能に保持するパネル保持部を備える、
ことを特徴とする遊技機。
【請求項２】
前記パネル保持部は、前記前扉部の表側に配置された透明板と、該透明板の裏側に設けられた装飾パネル挿入用スリットとを備えてなる、
ことを特徴とする請求項１に記載の遊技機。
【請求項３】
請求項１又は２に記載の遊技機を複数台配置してなる、
ことを特徴とする遊技島設備。
【発明の詳細な説明】
【技術分野】
【０００１】
本発明は、パチンコ機やスロットマシン等の遊技機及び該遊技機を複数台配置した遊技島設備に関し、詳しくは、遊技機と遊技島設備とをデザイン的に一体化できるようにした遊技機及び遊技島設備に関する。
【背景技術】
【０００２】
一般に、遊技機、例えばパチンコ機として、上受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。当該パチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００３】
また、遊技機、例えばスロットマシンとして、複数種の絵柄からなるシンボルマークを円周方向に多数（通常は２１個）備えた横３列の回胴リールを、スタートレバー操作に基づいて回転させた後、３個のストップボタンを夫々押圧操作することで、各ボタンに対応する回胴リールを順次停止させて、各回胴リールに備えたシンボルマークのうちの所定の絵柄同士が一致したときに当たりとなり、ボーナス取得として多数の遊技メダルがメダル受け皿に放出される構造のものが知られている（例えば、特許文献２参照）。当該スロットマシンでは、主基板に装着されたＲＯＭの抽選機能により役抽選を行い、該対応役の結果に応じて回胴リールを停止制御させてシンボルマークを揃える際等に視覚的な演出を行っている。
【０００４】
上述したようなパチンコ機やスロットマシンは、それぞれ遊技場内の遊技島と呼ばれる区域において、一方向に延在するランプ板や幕板に沿って列状に順次隣接した形で多数が配置されている（例えば、特許文献３，４参照）。このように、多数の遊技機が整列した遊技島設備において、遊技者は、好みの遊技機に対面して着座し、パチンコ機或いはスロットマシン固有の遊技手法に沿って遊技を進める。
【０００５】
【特許文献１】特開２００３−２３６２１０号公報（図２参照）
【特許文献２】特開２００３−２７５３７２号公報（図１ないし図３参照）
【特許文献３】特開２００４−８５８９号公報（図１参照）
【特許文献４】特開２０００−１０７３４７号公報（図１参照）
【発明の開示】
【発明が解決しようとする課題】
【０００６】
ところで、特許文献３や４に記載されるような遊技島設備に遊技機を設置する際に、遊技機の前扉のデザインを遊技島設備のランプ板及び幕板のデザインに調和させることが困難であった。
【０００７】
そこで本発明は、遊技機と遊技島設備とで互いに隣接する部分のデザインを一体化し得るように構成し、もって上述した課題を解決した遊技機及び遊技島設備を提供することを目的とするものである。
【課題を解決するための手段】
【０００８】
請求項１に係る本発明は（例えば図１ないし図３参照）、遊技島設備（１）の一方向に延び且つ所定の装飾を有する板部（１１，１２）によって上方を覆われる形で配置される遊技機（１０）において、
前記板部（１１，１２）に隣接する前扉部（３，５）の一部に、前記所定の装飾と同種の装飾を有する装飾パネル（１９）を着脱可能に保持するパネル保持部（１６）を備える、
ことを特徴とする遊技機（１０）にある。
【０００９】
請求項２に係る本発明は（例えば図２及び図３参照）、前記パネル保持部（１６）が、前記前扉部（３，５）の表側に配置された透明板（１７）と、該透明板（１７）の裏側に設けられた装飾パネル挿入用スリット（１７ａ）とを備えてなる、
ことを特徴とする請求項１に記載の遊技機（１０）にある。
【００１０】
請求項３に係る本発明は（例えば図２及び図３参照）、請求項１又は２に記載の遊技機を複数台配置してなる、
ことを特徴とする遊技島設備（１）にある。
【００１１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、板部に隣接する前扉部の一部に、所定の装飾と同種の装飾を有する装飾パネルを着脱可能に保持するパネル保持部を備えるので、遊技機と遊技島設備とで互いに隣接する部分のデザインを一体化させることができ、従って、遊技島設備に遊技機を設置する際に、遊技機の前扉部のデザインを、遊技島設備の幕板及びランプ板等の板部のデザインに簡便に調和させることができる。
【００１３】
請求項２に係る本発明によると、パネル保持部が、前扉部の表側に配置された透明板と、該透明板の裏側に設けられた装飾パネル挿入用スリットとを備えるので、遊技島設備側の板部の装飾に対応させる際等に、装飾パネル挿入用スリットに対して装飾パネルを挿脱するだけの作業で、パネル保持部への装飾パネルの着脱を極めて容易に行うことができる。
【００１４】
請求項３に係る本発明によると、請求項１又は２に記載の遊技機を遊技島設備に複数台配置しているので、従来のように遊技機が島設備側の装飾に馴染まないような不都合を回避できるようになる。
【発明を実施するための最良の形態】
【００１５】
以下、本発明に係る遊技機及び遊技島設備の実施の形態として、遊技場等に設置されるパチンコ機及び該パチンコ機を配置した遊技島設備を図１ないし図３に沿って説明する。なお、本実施の形態では、本発明の遊技機を所謂第１種特別電動役物のパチンコ機として述べるが、本発明はこれに限らず、所謂第２種特別電動役物や所謂第３種特別電動役物のパチンコ機にも適用可能であることは勿論である。また本発明は、当該パチンコ機に限らず、回胴リール装置を有するスロットマシンにも同様に適用可能であることは勿論である。
【００１６】
なお、図１は本発明に係る実施の形態における遊技島設備の外観を一部省略して示す斜視図、図２は本実施の形態におけるパチンコ機を示す正面図、図３は図２中のＡ−Ａ矢視方向に見た状態を示す側面断面図である。
【００１７】
図１に示すように、本実施の形態における遊技島設備１は、上部から下部側に向かって、幕板１１、ランプ板１２、機械収納スペースに嵌め込まれた複数台のパチンコ機１０、天板（玉箱載せ台とも言う）１５、腰板２０、及び床Ｆと接する巾木（ハバキ）２４を備えている。なお、本発明に係る「板部」は、幕板１１及びランプ板１２の双方を含む概念であり、所定の装飾（色、柄を含む）が施されている。
【００１８】
このように、本実施形態の遊技島設備１は、一方向に延在する幕板１１やランプ板１２にて上方を覆われて順次に配列された複数台のパチンコ機１０を備えている。なお、ランプ板１２には、実際は、遊技者が遊技場係員を呼ぶための呼び出しボタンや呼び出しランプが装備されているが、本実施の形態では、装飾Ｐ１等を視認し易くする目的から、呼び出しボタンや呼び出しランプの図示を省略している。なお、遊技島設備１においては、全てのパチンコ機１０が同一のデザインでも良く、また、特定のパチンコ機１０が他と異なるデザインであっても良い。
【００１９】
次に、図２を参照して、上記パチンコ機１０について説明する。すなわち、パチンコ機１０は、後述の発射ハンドル９の操作による発射装置（図示せず）の作動で遊技球を遊技盤７に打ち出しつつ遊技を行うもので、いわゆる確率変動等の大当たりが発生した状態で不図示のアタッカーに入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２０】
そして、本パチンコ機１０は、筐体２と、筐体２に開閉可能に装着された前扉３とを有しており、前扉３の前面には、透明ガラス６を有するガラス枠５が開閉可能に取付けられており、透明ガラス６の奥側には遊技盤７が配置されている。前扉３における遊技盤７の左右には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、本発明に係る「前扉部」は、前扉３及びガラス枠５の双方を含む概念である。
【００２１】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤７に向けて打ち出すための発射ハンドル９が設けられている。更に、皿ユニット１３の下部左方には、灰皿２４が配置されている。
【００２２】
遊技島設備１におけるランプ板１２には、所定の装飾Ｐ１が形成されている。本実施の形態では、装飾Ｐ１及び後述する装飾Ｐ２を、図２中の左方向に向かって泳ぐ多数の魚及び水中で発生する泡をモチーフとした装飾を挙げて説明するが、これに限らず、例えばカーペットに一般的に付されるような装飾であっても良い。
【００２３】
また、パチンコ機１０は、幕板１１及びランプ板１２を含む板部に隣接する前扉３（及びガラス枠５）の一部に、装飾Ｐ１と同種の装飾Ｐ２を有する装飾パネル１９を着脱可能に保持するパネル保持部１６を備える。つまり、ランプ板１２に隣接する壁面３ａに、装飾Ｐ１と同種の装飾Ｐ２を有する装飾パネル１９を着脱し得るパネル保持部１６を備えている。上記壁面３ａは、好ましくは前扉３の上部であるが、或いは前扉３の上部から左右側部に跨っていても良い。
【００２４】
パネル保持部１６は、図２及び図３に示すように、前扉３及びガラス枠５からなる前扉部の表側に配置された透明板１７と、該透明板１７の裏側に設けられた装飾パネル挿入用スリット１７ａとを備えて構成される。この装飾パネル挿入用スリット１７ａには、その上部開口部から装飾パネル１９が挿入又は離脱される。なお、装飾パネル挿入用スリット１７ａに挿入された装飾パネル１９の下部裏面に、透明ガラス６の上部がオーバーラップしている（図３参照）。
【００２５】
ついで、本パチンコ機１０による作用について説明する。すなわち、本パチンコ機１０に対面して着座した遊技者が発射ハンドル９を握り、適宜の角度に回動操作すると、不図示の発射装置の作動によって遊技球が所定の間隔で遊技盤７に向けて連続的に発射される。遊技者は、この状態を維持し、発射した遊技球の始動チャッカー（図示せず）への入賞を契機とした大当たり抽選で当選することを期待しながら遊技する。
【００２６】
このような遊技中、或いは他のパチンコ機１０に代わろうと移動する際においても、遊技者は、ランプ板１２に付された装飾Ｐ１とパチンコ機１０に付された装飾Ｐ２とが一体化された状態を心地よく視認する。
【００２７】
本遊技島設備１では、幕板１１及びランプ板１２を含む板部に隣接する前扉部（３，５）の一部に、所定の装飾Ｐ１と同種の装飾Ｐ２を有する装飾パネル１９を着脱可能に保持するパネル保持部１６を備えるので、パチンコ機１０と遊技島設備１とで互いに隣接する部分のデザインを一体化させることができる。従って、遊技島設備１にパチンコ機１０を設置する際に、パチンコ機１０の前扉部（３，５）のデザインを遊技島設備１の幕板１１及びランプ板１２を含む板部のデザインに簡便に調和させることができる。
【００２８】
また、パネル保持部１６が、前扉部（３，５）の表側に配置された透明板１７と、該透明板１７の裏側に設けられた装飾パネル挿入用スリット１７ａとを備えるので、遊技島設備１側の板部（１１，１２）の装飾に対応させる際等に、装飾パネル挿入用スリット１７ａに対して装飾パネル１９を挿脱するだけの作業で、パネル保持部１６への装飾パネル１９の着脱を極めて容易に行うことができる。更に、本実施の形態では、パチンコ機１０を遊技島設備１に複数台配置しているので、従来のようにパチンコ機が島設備側の装飾に馴染まないような不都合を回避できるようになる。
【００２９】
以上、本発明をその好適な実施の形態に基づいて説明したが、本発明の遊技機及び遊技島設備は、上記実施の形態の構成にのみ限定されるものではなく、上記実施の形態の構成から種々の修正及び変更を施した遊技機及び遊技島設備も、本発明の範囲に含まれる。
【図面の簡単な説明】
【００３０】
【図１】本発明に係る実施形態の遊技島設備の外観を一部省略して示す斜視図である。
【図２】本実施形態におけるパチンコ機を示す正面図である。
【図３】図２中のＡ−Ａ矢視方向に見た状態を示す側面断面図である。
【符号の説明】
【００３１】
１：遊技島設備
３ａ：壁面
３，５：前扉部（前扉、ガラス枠）
１０：遊技機（パチンコ機）
１１，１２：板部（幕板、ランプ板）
１６：パネル保持部
１７：透明板
１７ａ：装飾パネル挿入用スリット
１９：装飾パネル
Ｐ１，Ｐ２：装飾
【図１】
2006288514.tif 000003
【図２】
2006288514.tif 000004
【図３】
2006288514.tif 000005